(57)【特許請求の範囲】
【請求項１】
詰め替え用パウチ容器と、該詰め替え用パウチ容器の内部に収容された内容物を詰め替える被詰め替え容器とを有する詰め替え容器セットであって、
前記詰め替え用パウチ容器は、対向する二つの側壁と、該側壁の一方端側及び他方端側の両端部に該二つの側壁同士を連結する襠部とを有してシート材によって形成されたパウチ本体部、並びに、該パウチ本体部の少なくとも一方の襠部に固定されたスパウトを備え、
前記スパウトは、前記パウチ本体部の内部の前記内容物を注出するノズル部と、閉蓋部材と、該パウチ本体部の前記襠部に接合されるフランジ部とを有し、
前記フランジ部における前記二つの側壁側の両端縁部間の最大幅が、前記スパウトが固定された前記襠部の最大幅と略同等の幅に形成され、それにより前記襠部は補強されており、該フランジ部の最大幅が、前記被詰め替え容器の口首部の開口の内径よりも広く、
前記閉蓋部材を外した前記詰め替え用パウチ容器内の前記内容物を前記被詰め替え容器に詰め替える際、前記の補強された襠部と前記被詰め替え容器の口首部の開口端とを当接させて、前記内容物を前記被詰め替え容器内に注出するように形成されている詰め替え容器セット。
【請求項２】
前記詰め替え用パウチ容器は、スパウトが固定された前記の補強された襠部を形成する天面シート部の一端縁部及び一方の前記側壁の一方端部をシールすると共に、該天面シート部の他端縁部及び他方の前記側壁の一方端部をシールしてなる一対のシール部を有し、該一対のシール部は、該襠部から上方に向かって屈曲しており、
前記閉蓋部材を外した前記詰め替え用パウチ容器内の前記内容物を前記被詰め替え容器に詰め替える際、前記一対のシール部は、前記被詰め替え容器の前記口首部を挟むことができるように形成されている請求項１に記載の詰め替え容器セット。
【請求項３】
スパウトが固定された前記の補強された襠部の最大幅に対して、前記フランジ部の前記両端縁部間の最大幅が９０％以下の広幅となっている請求項１又は２に記載の詰め替え容器セット。
【請求項４】
前記詰め替え用パウチ容器には、該詰め替え容器セットの使用方法の説明が記載されており、
前記使用方法の説明は、前記閉蓋部材を外した前記詰め替え用パウチ容器内の前記内容物を前記被詰め替え容器に詰め替える際、該被詰め替え容器の前記口首部の開口端と前記詰め替え用パウチ容器の前記の補強された襠部とを当接させて、前記ノズル部を介して収容された前記内容物を前記被詰め替え容器内に注出して詰め替えることを促す説明を含む請求項１〜３の何れか１項に記載の詰め替え容器セット。
【請求項５】
前記詰め替え容器セットには、該詰め替え容器セットの使用方法の説明書が付属しており、
前記使用方法の説明書は、前記閉蓋部材を外した前記詰め替え用パウチ容器内の前記内容物を前記被詰め替え容器に詰め替える際、該被詰め替え容器の前記口首部の開口端と前記詰め替え用パウチ容器の前記の補強された襠部とを当接させて、前記ノズル部を介して収容された前記内容物を前記被詰め替え容器内に注出して詰め替えることを促す表示を有している請求項１〜４の何れか１項に記載の詰め替え容器セット。
【請求項６】
詰め替え用パウチ容器と、該詰め替え用パウチ容器の内部に収容された内容物を詰め替える被詰め替え容器とを有する詰め替え容器セットの使用方法であって、
前記詰め替え用パウチ容器は、対向する二つの側壁と、該側壁の一方端側及び他方端側の両端部に該二つの側壁同士を連結する襠部とを有してシート材によって形成されたパウチ本体部、並びに、該パウチ本体部の少なくとも一方の襠部に固定されたスパウトを備え、
前記スパウトは、前記パウチ本体部の内部の前記内容物を注出するノズル部と、閉蓋部材と、該パウチ本体部の前記襠部に接合されるフランジ部とを有し、
前記フランジ部における前記二つの側壁側の両端縁部間の最大幅が、前記スパウトが固定された前記襠部の最大幅と略同等の幅に形成され、それにより前記襠部は補強されており、該フランジ部の最大幅が、前記被詰め替え容器の口首部の開口の内径よりも広く、
前記閉蓋部材を外した前記詰め替え用パウチ容器内の前記内容物を前記被詰め替え容器に詰め替える際、前記の補強された襠部と前記被詰め替え容器の口首部の開口端とを当接させて、前記ノズル部を介して収容された前記内容物を前記被詰め替え容器内に注出して詰め替える工程を備える詰め替え容器セットの使用方法。
【発明の詳細な説明】
【技術分野】
【０００１】
本発明は、詰め替え用パウチ容器と被詰め替え容器とを有する詰め替え容器セットに関する。
【背景技術】
【０００２】
パウチ容器には、シャンプーやコンディショナー等の液状の内容物を収容する可撓性の軟包材で作られたパウチ容器本体と、内容物を注出するための合成樹脂製の注出口とを備えて形成されているものがある。（例えば、特許文献１，２参照）。
【０００３】
特に特許文献１，２に記載のパウチ容器は、対向配置された一対の側壁と、該一対の側壁の上部及び下部に襠部となる頂壁及び底壁を備えているので、縦置き時の安定性が向上する。また、内容物に対する体積効率が良く、また、見栄えが良い。
【先行技術文献】
【特許文献】
【０００４】
【特許文献１】実用新案登録３１５５０８０号公報
【特許文献２】実用新案登録２６０５６３６号公報
【発明の概要】
【発明が解決しようとする課題】
【０００５】
しかし、特許文献１，２には、注出口に取り付けられているキャップ等の閉蓋部材を外す際のパウチ容器本体の把持安定性に関して何ら考慮されていない。また、特許文献１，２には、パウチ容器本体内部に収容された内容物を被詰め替え容器内に注出して詰め替える際の詰め替え安定性に関して何ら考慮されていない。
【０００６】
したがって本発明は、前述した従来技術が有する欠点を解消し得る詰め替え容器セットを提供することにある。
【課題を解決するための手段】
【０００７】
本発明は、詰め替え用パウチ容器と、該詰め替え用パウチ容器の内部に収容された内容物を詰め替える被詰め替え容器とを有する詰め替え容器セットであって、前記詰め替え用パウチ容器は、対向する二つの側壁と、該側壁の一方端側及び他方端側の両端部に該二つの側壁同士を連結する襠部とを有してシート材によって形成されたパウチ本体部、並びに、該パウチ本体部の少なくとも一方の襠部に固定されたスパウトを備え、前記スパウトは、前記パウチ本体部の内部の前記内容物を注出するノズル部と、閉蓋部材と、該パウチ本体部の前記襠部に接合されるフランジ部とを有し、前記フランジ部における前記二つの側壁側の両端縁部間の最大幅が、前記スパウトが固定された前記襠部の最大幅と略同等の幅に形成され、フランジ部は、その最大幅が、前記被詰め替え容器の口首部の開口の内径よりも広い詰め替え容器セットを提供するものである。
【発明の効果】
【０００８】
本発明によれば、襠部がフランジ部により補強され、パウチ容器の開栓時の把持安定性が向上し、注出口に取り付けられている閉蓋部材を外し易い。また、本発明によれば、襠部がフランジ部により補強され、パウチ容器を詰め替え用容器として使用する場合に、パウチ容器の内部に収容された内容物を被詰め替え容器内に注出し易く詰め替え安定性が向上する。
【図面の簡単な説明】
【０００９】
【図１】図１は、本発明の１実施形態である詰め替え容器セットを示す斜視図である。
【図２】図２は、図１に示す詰め替え容器セットの有する詰め替え用パウチ容器の第１実施形態を示す斜視図である。
【図３】図３は、内容物を収容する前の折りたたまれた状態の詰め替え用パウチ容器を示す平面図である。
【図４】図４（ａ）は折りたたまれた状態の詰め替え用パウチ容器のパウチ本体部の内部に内容物を注入した直後の状態を示す斜視図であり、図４（ｂ）は第１実施形態の詰め替え用パウチ容器の使用状態を示す斜視図である。
【図５】図５は、図２に示す詰め替え用パウチ容器のスパウトを示す斜視図である。
【図６】図６は、図５に示すスパウトを上方側から視た平面図である。
【図７】図７は、図１に示す詰め替え用パウチ容器を親指及び人差し指で把持した状態を示す図である。
【図８】図８（ａ）〜（ｃ）は、図１に示す詰め替え容器セットを用いた詰め替え方法の手順を説明する図である。
【図９】図９（ａ）〜（ｂ）は、図８（ｃ）より後の図１に示す詰め替え容器セットを用いた詰め替え方法の手順を説明する図である。
【図１０】図１０は、他の実施形態の詰め替え用パウチ容器の有するスパウトを示す斜視図である（図５相当図）。
【図１１】図１１は、他の実施形態の詰め替え用パウチ容器の有するスパウトを示す斜視図である（図５相当図）。
【図１２】図１２は、更に他の実施形態の詰め替え用パウチ容器の有するスパウトを示す斜視図である（図５相当図）。
【図１３】図１３は、他の実施形態の詰め替え用パウチ容器を示す斜視図である（図４（ｂ）相当図）。
【発明を実施するための形態】
【００１０】
以下、本発明の詰め替え容器セットを、その好ましい実施形態に基づき、図１〜図８を参照しながら説明する。
本実施形態の詰め替え容器セット１０は、図１に示すように、好ましい第１実施形態の詰め替え用パウチ容器１Ａ（以下、「パウチ容器１Ａ」ともいう。）と、パウチ容器１Ａの内部に収容された内容物１１を詰め替える被詰め替え容器４とを有する。詰め替え容器セット１０は、パウチ容器１Ａの内部に内容物１１が収容されており、収容された内容物１１を空の被詰め替え容器４内に注出して詰め替えて使用されるものである。
【００１１】
パウチ容器１Ａは、図２に示すように、可撓性のシート材によって形成されたパウチ本体部２と、該パウチ本体部２の一方の襠部２１に固定されたスパウト３とを備えている。パウチ本体部２は、対向する二つの側壁と、該側壁の一方端側及び他方端側の両端部に該二つの側壁同士を連結する二つの襠部２１とを有している。パウチ容器１Ａにおいては、対向する二つの側壁の内の一方の側壁が後述する正面シート部２２からなり、他方の側壁が後述する背面シート部２３からなり、襠部２１が後述する天面シート部２４からなり、他方の襠部２１が後述する底面シート２５からなる。
【００１２】
以下の説明においては、図２に示すように、パウチ容器１Ａの高さ方向である上下方向をＹ方向、パウチ容器１Ａのパウチ本体部２を構成する正面シート部２２側から正面視した際の上下方向（Ｙ方向）に直交する水平方向である幅方向をＸ方向、上下方向（Ｙ方向）及び幅方向（Ｘ方向）からなる面方向に直交する方向である前後方向をＺ方向として説明する。尚、パウチ容器１ＡのＹ方向、Ｘ方向及びＺ方向は、それぞれ、パウチ本体部２及びスパウト３のＹ方向、Ｘ方向及びＺ方向と同じ方向である。また、Ｚ方向の内のパウチ本体部２を構成する正面シート部２２側を前側、背面シート部２３側を後側として説明する。
【００１３】
パウチ本体部２は、図２に示すように、正面シート部２２、背面シート部２３及び天面シート部２４を有し、正面シート部２２と背面シート部２３との間に天面シート部２４を配してこれらの縁部を一体として接合することによって袋状に形成されている。このように、正面シート部２２と背面シート部２３との間に天面シート部２４を補い添えており、パウチ容器１Ａの一方の襠部２１は、パウチ本体部２の天面シート部２４で形成されている。ここで、襠部２１とは、正面シート部２２と背面シート部２３との間に配された天面シート部２４、底シート部２５の部分を意味し、後述する一対のシール部５３，５３を含む環状シール部５２を有している場合には、天面シート部２４、底面シート２５から一対のシール部５３，５３を含む環状シール部５２を除いた部分を意味する。尚、いずれか一方の襠部２１には、略中央部分に、スパウト３を取り付ける貫通口（不図示）が設けられている。正面シート部２２、背面シート部２３及び天面シート部２４を有するパウチ本体部２は、内容物１１を収容する前の折りたたまれた状態において、図３に示すように、Ｙ方向の長さＬ０が１００ｍｍ〜３８０ｍｍ程度であり、Ｘ方向の幅Ｗ０が９０ｍｍ〜１２０ｍｍ程度のものである。
【００１４】
パウチ本体部２について詳述すると、パウチ容器１Ａのパウチ本体部２は、図２に示すように、正面シート部２２のＹ方向の上方側と背面シート部２３のＹ方向の上方側との間に天面シート部２４を配し、正面シート部２２のＹ方向の下方側と背面シート部２３のＹ方向の下方側との間に底面シート部２５を配している。そして、正面シート部２２のＹ方向に沿う両側縁部２２ｓ，２２ｓと背面シート部２３のＹ方向に沿う両側縁部２３ｓ，２３ｓとを、各側縁部２２ｓ，２３ｓの側縁に沿って接合しＹ方向に延びる側縁シール部５１を形成している。また、パウチ容器１Ａにおいては、正面シート部２２、背面シート部２３及び天面シート部２４の縁部を、天面シート部２４の全周縁に亘って一体としてシールして環状シール部５２を形成している。底面シート部２５は、天面シート部２４と同様に、正面シート部２２、背面シート部２３及び底面シート部２５の縁部を、底面シート部２５の全周縁に亘って一体としてシールして底面側の環状シール部５２ｄを形成している。パウチ本体部２は、これらのシール部にて接合されていることによって袋状に形成されている。側縁シール部５１の幅（Ｘ方向の長さ）及び環状シール部５２，５２ｄの幅は、１ｍｍ〜１０ｍｍ程度のものである。
【００１５】
パウチ容器１Ａの環状シール部５２は、図２〜図４に示すように、正面シート部２２のＹ方向の上端縁部２２ｕ及び天面シート部２４のＺ方向の一端縁部２４ｆをシールすると共に、背面シート部２３のＹ方向の上端縁部２３ｕ及び天面シート部２４のＺ方向の他端縁部２４ｒをシールした一対のシール部５３，５３を有している。一対のシール部５３，５３は、それぞれ、Ｘ方向に延びている。尚、シール部５３はＸ方向に延びていれば、Ｘ方向に平行に延びていてもよいし、円弧を描きながら延びていてもよい。また、図３に示す折りたたまれた状態のパウチ本体部２の内部に内容物１１を充填した直後においては、一対のシール部５３，５３は、図４（ａ）に示すように、Ｚ方向外方に延出している。そして、一対のシール部５３，５３は、パウチ容器１Ａにおいては、Ｙ方向の上方に向かって折り返されて、図４（ｂ）に示すような状態となる。パウチ容器１Ａは、図４（ｂ）に示すような状態で使用される。
【００１６】
パウチ本体部２を構成する正面シート部２２、背面シート部２３、天面シート部２４及び底面シート部２５は、例えばポリプロピレン樹脂、ポリエチレン樹脂といったポリオレフィン樹脂等からなる合成樹脂製のフィルム材シート、該合成樹脂製のフィルムとアルミニウム等の金属との積層体からなるフィルム材シート、或いは該合成樹脂製のフィルムにアルミニウム等の金属を蒸着したフィルム材シートを用いて形成されている。パウチ本体部２を形成した際の正面シート部２２、背面シート部２３、天面シート部２４及び底面シート部２５それぞれの内面は、前記ポリオレフィン樹脂を主成分とするシーラント層から構成されていることが好ましい。フィルム材シートは、その厚さが７０μｍ〜２００μｍ程度のものが好ましい。
【００１７】
尚、パウチ本体部２を構成する正面シート部２２、背面シート部２３、天面シート部２４及び底面シート部２５は、それぞれ別体のフィルム材シートを用いてもよく、帯状に連続する一枚のフィルム材シートを用いてもよい。
【００１８】
上述した側縁シール部５１及び環状シール部５２（シール部５３を含む）は、ヒートシール、超音波シール、高周波シール等のシール加工による融着方法、或いは接着剤を用いて形成することができる。
【００１９】
また本発明のパウチ容器は、例えば特開２０１１−４６０８２号公報で開示された製造装置で製造することができる。
【００２０】
スパウト３は、図２，図５，図６に示すように、パウチ本体部２の内部に収容された内容物１１を注出するノズル部３１と、ノズル部３１先端にノズル部３１を閉栓する閉蓋部材３５（図２参照）と、パウチ本体部２の襠部２１に接合されるフランジ部３２とを有している。本実施形態では、閉蓋部材３５はスクリューキャップである。スパウト３は、天面シート部２４で形成された襠部２１の貫通口（不図示）にノズル部３１を通した状態で、天面シート部２４の下面とフランジ部３２の上面とを接合してパウチ本体部２に取り付けられている。天面シート部２４とフランジ部３２との接合には、ヒートシール、超音波シール、高周波シール、接着剤等の各種公知の接合方法を用い得るが、ヒートシールで接合することが好ましい。
【００２１】
スパウト３を構成するノズル部３１及びフランジ部３２は、例えばポリプロピレン、ポリエチレン等の合成樹脂を用いて一体形成された金型成形品、或いは前記合成樹脂を用いて形成された２パーツからなる成形品である。ノズル部３１とフランジ部３２とは、Ｙ方向に延びる中心線が一致していることが望ましいが、場合によっては、中心線が一致しない前後非対称又は左右非対称の形状を有していてもよい。フランジ部３２は、フランジ部３２を固定することにより襠部２１が十分に補強される観点から、０．５ｍｍ〜５．ｍｍ程度の肉厚で形成されていることが好ましい。
【００２２】
ノズル部３１は、図５，図６に示すように、パウチ容器１Ａにおいては、Ｙ方向の上下端が開口した円筒状をなしている。尚、ノズル部３１の形状は、上下端が開口していれば、中空の多角形柱状、中空の楕円柱状、或いは中空の錐体状であってもよい。ノズル部３１の外周面には、閉蓋部材３５を取り付けるネジ部３１ｓが周設されている。ノズル部３１には、パウチ容器１Ａを使用する前においては、ノズル部３１のネジ部３１ｓと螺合する螺溝（不図示）を有する閉蓋部材３５（図２参照）が螺着されている。ノズル部３１の高さＴ１（図５参照）は、スパウト３を被詰め替え容器４の開口部４１に挿入した状態におけるパウチ容器１Ａの安定性の向上の観点から、０．５×Ｄ１〜２×Ｄ１（Ｄ１は、図１に示す被詰め替え容器４の開口部４１の開口内径）であることが好ましい。尚、円筒状のノズル部３１の外径Ｄ２（図６参照）は、被詰め替え容器４の開口部４１の開口内径Ｄ１（図１参照）よりも短くなっている。
【００２３】
フランジ部３２は、図５，図６に示すように、ノズル部３１の外周壁からノズル部３１径方向外方に向かって張り出している。フランジ部３２は、閉蓋部材３５の開閉時にパウチ本体部２を把持する際の補強部となる部分である。フランジ部３２は、具体的には、パウチ容器１Ａにおいては、ノズル部３１の外周壁のＹ方向の下端部から、その全周において外方に向かって張り出すように形成されている。そして、フランジ部３２の最大幅は、被詰め替え容器４の口首部４２の開口内径Ｄ１（図１参照）よりも広く形成されている。ここで、フランジ部３２の最大幅とは、前記二つの側壁（本実施形態においては正面シート部２２及び背面シート部２３）間方向におけるフランジ部３２の両端間の最も広い位置での間隔を意味する。また、開口内径Ｄ１とは、開口における最も広い位置での直径を意味する。
【００２４】
パウチ容器１Ａのフランジ部３２は、ノズル部３１の外周壁から径方向外方に向かって張り出す外形が、非円形状に形成されている。具体的には、パウチ容器１Ａのフランジ部３２は、ノズル部３１の外周壁のＹ方向の下端部から、その全周においてノズル部３１の径方向外方に向かって、Ｘ方向及びＺ方向からなる面方向に平行に張り出しており、正方形状に形成されている。更に詳述すると、パウチ容器１Ａのフランジ部３２の基本形状は、図６に示すように平面視して、４辺の曲線で囲まれた四角形に形成されている。即ち、フランジ部３２における正面シート部２２側及び背面シート部２３側の両端縁部３２ｆ，３２ｒ及びフランジ部３２における両側縁３２ｓ，３２ｓの各辺を構成する曲線は、ノズル部３１の開口中心から外方に湾曲しており、パウチ本体部２を把持する際の違和感（例えば、痛み等）を少なくし使用感を向上させる観点から、曲率半径が５ｃｍ〜１０ｃｍ程度に形成されていることが好ましい。また、基本形状が４辺の曲線で囲まれた四角形であるフランジ部３２の各角部は、Ｃ面あるいはＲ面状にトリミングされている。各角部を適度な寸法でトリミングすることで、閉蓋部材３５をノズル部３１から外す際、パウチ本体部２をフランジ部３２を介して把持した時に、各角部がパウチ本体部２を傷つけることが無く、また、パウチ本体部２を把持する際の違和感（例えば、痛み等）を少なくし使用感が向上する。
【００２５】
図６に示すように平面視した際の、フランジ部３２を構成する４辺の曲線について詳述すると、４辺の曲線の内の二つの側壁（本実施形態においては正面シート部２２及び背面シート部２３）側の両端縁部３２ｆ，３２ｒの各辺を構成する曲線は、それぞれ、その曲率半径が、使用状態のパウチ容器１Ａ（図２参照）において、二つの側壁（本実施形態においては正面シート部２２及び背面シート部２３）の曲率半径と略同等であることが好ましい。
【００２６】
フランジ部３２は、パウチ本体部２の二つの側壁（正面シート部２２及び背面シート部２３）側の両端縁部３２ｆ，３２ｒ間の最大幅Ｌ１が、該二つの側壁（正面シート部２２及び背面シート部２３）同士を連結している、スパウト３が固定された襠部２１の最大幅と略同等の幅となっている。即ち、フランジ部３２のＺ方向の最大幅Ｌ１（図６参照）は、図４（ｂ）に示す使用状態における、スパウト３が固定された側の襠部２１のＺ方向の最大幅と略同等の幅となっている。具体的には、前記襠部２１のＺ方向の最大幅に対して、フランジ部３２のＺ方向の最大幅Ｌ１が、襠部２１を補強する観点から、６５％以上の幅広となっていることが好ましく、８５％以上の幅広となっていることが更に好ましく、また、生産性等の実用上の観点から、９０％以下の幅広となっていることが好ましい。ここで、スパウト３が固定された襠部２１の最大幅とは、前記二つの側壁（本実施形態においては正面シート部２２及び背面シート部２３）間方向における、スパウト３が固定された襠部２１の両端間の最も広い位置での間隔を意味する。
【００２７】
また、フランジ部３２のＺ方向の最大幅Ｌ１（図６参照）は、円筒状のノズル部３１の外径Ｄ２（図６参照）よりも広く、被詰め替え容器４の口首部４２の開口内径Ｄ１（図１参照）よりも広く形成されている。被詰め替え容器４の口首部４２の開口内径Ｄ１（図１参照）に対するフランジ部３２のＺ方向の最大幅Ｌ１（図６参照）の割合（Ｌ１／Ｄ１）は、パウチ容器１Ａを被詰め替え容器４上に配した状態における安定性の向上の観点から、１より大きく、３以下であることが好ましく、１．２以上２以下であることが好ましい。
また、被詰め替え容器４の口首部４２の開口面積Ｓ１に対するフランジ部３２の平面投影積Ｓ２の割合（Ｓ２／Ｓ１）（図１参照）は、同様の観点から、１．８以上１２以下であることが好ましく、２．４以上５以下であることが好ましい。ここでフランジ部の投影面積とは、フランジ部を平面視した際のノズル部を含んだ面積（フランジ部の外縁で囲まれた全面積）のことを意味する。
【００２８】
尚、円筒状のノズル部３１の外径Ｄ２（図６参照）に対するフランジ部３２のＺ方向の最大幅Ｌ１（図６参照）の割合（Ｌ１／Ｄ２）は、同様の観点から、１．２以上３．２以下であることが好ましく１．４以上２．２以下であることが好ましい。
また、ノズル部３１の開口面積Ｓ３に対するフランジ部３２の投影面積Ｓ２の割合（Ｓ２／Ｓ３）は、同様の観点から、４以上２５以下であることが好ましく、５以上１１以下であることが好ましい。
【００２９】
パウチ容器１Ａのフランジ部３２のＸ方向の最大幅Ｌ２（図６参照）は、図４（ｂ）に示す使用状態における、パウチ本体部２のスパウト３が固定された側の襠部２１のＸ方向の最大幅に対して、襠部２１を補強する観点から、３０％以上の幅広となっていることが好ましい。また、実用上の生産性の観点から、５０％以下の幅広となっていることが好ましい。尚、本実施形態では、フランジ部３２の最大幅Ｌ２は、スパウト３が固定された側の襠部２１のＸ方向の最大幅に対して３４％の幅広である。ここで、フランジ部３２のＸ方向の最大幅Ｌ２とは、前記側縁シール部５１間方向における、フランジ部３２の両端間の最も広い位置での間隔を意味する。また、スパウト３が固定された襠部２１のＸ方向の最大幅とは、前記側縁シール部５１間方向における、スパウト３が固定された襠部２１の両端間の最も広い位置での間隔を意味する。
【００３０】
パウチ本体部２に収容される内容物１１としては、シャンプー液、リンス液、コンディショナー液、化粧液、薬剤、ボディソープ液、衣類用や食器用の液体洗剤、衣類用の柔軟剤、漂白剤等の液体が挙げられる。
【００３１】
パウチ本体部２に収容される内容物１１の粘度は、例えば３０℃において、粘度が５００〜５万ｍＰａ・ｓ（Ｂ型粘度計で測定）であることが好ましい。
【００３２】
被詰め替え容器４は、例えばポリプロピレン、ポリエチレン等の合成樹脂を用いて形成された金型成形品である。被詰め替え容器４は、図１に示すように、口首部４２と口首部４２の下端に続く肩部４３とを有するボトル形状の容器である。被詰め替え容器４の口首部４２には、開口部４１が形成されている。被詰め替え容器４は、パウチ本体部２に収容された内容物１１を内部に注出して詰め替え、詰め替えて収容した内容物１１を吸い出す例えばディスペンサーを取り付けて使用されるものである
【００３３】
上述したパウチ容器１Ａと被詰め替え容器４とを有する本実施形態の詰め替え容器セット１０の使用方法は、閉蓋部材３５を外したパウチ容器１Ａ内の内容物１１を被詰め替え容器４に詰め替える際、被詰め替え容器４の口首部４２の開口端とパウチ容器１Ａのスパウト３のフランジ部３２とを天面シート部２４を介して当接させて、ノズル部３１を通して収容された内容物１１を被詰め替え容器４内に注出して詰め替える工程を備える詰め替え容器セットである。
以下、具体的に、詰め替え容器セット１０を用いて、パウチ容器１Ａのパウチ本体部２の内部に収容された内容物１１を被詰め替え容器４内に注出する詰め替え方法について説明する。また、本実施形態の詰め替え容器セット１０を使用した際の作用効果について説明する。
【００３４】
先ず、スパウト３のフランジ部３２を介して詰め替え用パウチ容器１Ａを把持した状態で、スパウト３のノズル部３１先端の閉蓋部材３５を取り外す。具体的には、図７，図８（ａ）に示すように、例えば一方の手で、正面シート部２２側及び背面シート部２３側から、スパウト３のフランジ部３２における正面シート部２２側の端縁部３２ｆ及び背面シート部２３側の端縁部３２ｒ（図５，図６参照）を介してパウチ本体部２を把持する。ここで、パウチ容器１Ａは、フランジ部３２のＺ方向の最大幅（Ｌ１）が、パウチ本体部２のスパウト３が固定された側の襠部２１のＺ方向の最大幅と略同等の幅となっている。その為、フランジ部３２の固定された襠部２１は十分に補強されており、スパウト３のフランジ部３２における両端縁部３２ｆ，３２ｒを介してパウチ本体部２を把持し易くなっている。このように、左手（一方の手）で、フランジ部３２の両端を介してパウチ容器１Ａを把持し易く、図８（ｂ）に示すように、右手（他方の手）で、ノズル部３１に螺着した閉蓋部材３５を取り外し易い。また、フランジ部３２がパウチ本体部２を把持する際の把持部とならなくても、フランジ部３２のＺ方向の最大幅（Ｌ１）が、パウチ本体部２のスパウト３が固定された側の襠部２１のＺ方向の最大幅と略同等の幅となっているので、フランジ部３２が、スパウト３から閉蓋部材３５を取り外す際、フランジ部３２の固定された襠部２１の変形量を抑える補強部となり、閉蓋部材３５を取り外し易くなっている。
【００３５】
ここで、パウチ容器１Ａは、図４（ｂ）に示すように、パウチ本体部２の一対のシール部５３，５３がＹ方向上方に屈曲しており、パウチ本体部２を、図８（ａ）に示すように、正面シート部２２側及び背面シート部２３側から親指及び人差し指でフランジ部３２の両端縁部３２ｆ，３２ｒを介して把持し易く、可撓性のシート材で形成されたパウチ本体部２であったとしても、安定感があり、しっかりとパウチ容器１Ａを把持できる。更に、可撓性のシート材で形成されたパウチ本体部２が潰れ難く、内容物１１の溢れを防止できる。
【００３６】
また、パウチ容器１Ａは、図５，図６に示すように、フランジ部３２における両端縁部３２ｆ，３２ｒ及び両側縁３２ｓ，３２ｓの各辺が曲線で形成されているので、把持する際の違和感が少なく使用感が向上する。またフランジ部３２の外形の各角部がトリミングされているので、パウチ本体部２の内面を各角部で傷つけることなく、更に把持する際の違和感が更に少なく使用感が更に向上する。
【００３７】
次いで、図８（ｃ），図１に示すように、スパウト３のノズル部３１を被詰め替え容器４の口首部４２の開口に対向させ、図９（ａ）に示すように、ノズル部３１を口首部４２の開口部４１から挿入し、口首部４２の開口端がフランジ部３２に当接するまで被詰め替え容器４内に挿入する。具体的には、例えば、被詰め替え容器４を用意して、左手（一方の手）で被詰め替え容器４の本体を把持して、右手（他方の手）で口首部４２を開口する。そして、図８（ｃ）に示すように、口首部４２の開口した被詰め替え容器４の本体を右手（他方の手）で持ち替えて把持し、閉蓋部材３５を外したパウチ容器１Ａの本体を一対の側縁シール部５１，５１側から左手（一方の手）で持ち替えて把持する。そして、図９（ａ）に示すように、スパウト３のノズル部３１を被詰め替え容器４の口首部４２の開口に対向させ、被詰め替え容器４の口首部４２の開口端が、襠部２１となる天面シート部２４を介して、フランジ部３２の表面に当接するまで被詰め替え容器４内に挿入する。パウチ容器１Ａにおいては、円筒状のノズル部３１の外径Ｄ２が、被詰め替え容器４の開口部４１の開口内径Ｄ１よりも短くなっているので、パウチ容器１Ａのノズル部３１が、被詰め替え容器４の開口部４１から内部にすっぽりと入り込み易い。
【００３８】
尚、本実施形態の詰め替え容器セット１０においては、図８（ｃ）に示すように、被詰め替え容器４を右手（他方の手）で持ち替えて把持し、パウチ容器１Ａを左手（一方の手）で持ち替えて把持しているが、予め、口首部４２の開口した被詰め替え容器４を用意しておき、左手（一方の手）で、フランジ部３２を介してパウチ容器１Ａを把持して、図８（ｂ）に示すように、右手（他方の手）で、ノズル部３１に螺着した閉蓋部材３５を取り外した後、左手（一方の手）でそのままパウチ容器１Ａを把持しておく。そして、右手（他方の手）で口首部４２の開口した被詰め替え容器４を持ち替えて把持し、左手（一方の手）で把持したスパウト３のノズル部３１を、右手（他方の手）で把持した被詰め替え容器４内に挿入するようにしてもよい。
【００３９】
次いで、図９（ｂ）に示すように、被詰め替え容器４の口首部４２の開口端とパウチ容器１Ａのフランジ部３２とを当接させて、被詰め替え容器４上にパウチ容器１Ａを置いた状態で、被詰め替え容器４内にノズル部３１を介してパウチ本体部２の内部に収容された内容物１１を注出する。ここで、パウチ容器１Ａは、フランジ部３２の最大幅が、被詰め替え容器４の開口部４１の開口内径Ｄ１よりも広く形成されている。その為、フランジ部３２を越えて、パウチ容器１Ａが被詰め替え容器４の内部に入ることが無く、可撓性のシート材で形成されたパウチ本体部２であったとしても、固定されたフランジ部３２により襠部２１となる天面シート部２４が補強されているので、被詰め替え容器４上にパウチ容器１Ａを安定した状態で配置できる。特に、パウチ容器１Ａのフランジ部３２は、開口部４１の開口内径Ｄ１よりも長く、スパウト３が固定された側の襠部２１のＺ方向の最大幅と略同等の位置まで、Ｘ方向及びＺ方向からなる面方向に平行に均一に張り出したフランジ部３２を有している。その為、被詰め替え容器４上にパウチ容器１Ａを安定した状態で配置でき、特に高粘度の内容物１１を被詰め替え容器４内に絞りながら安定して詰め替えることができる。
【００４０】
また、特に、パウチ容器１Ａは、環状シール部５２が、図４（ａ），図４（ｂ）に示すように、正面シート部２２のＹ方向の上端縁部２２ｕ及び天面シート部２４のＺ方向の一端縁部２４ｆをシールすると共に、背面シート部２３の上端縁部２３ｕ及び天面シート部２４のＺ方向の他端縁部２４ｒをシールした一対のシール部５３，５３を有している。一対のシール部５３，５３は、パウチ容器１Ａにおいては、図４（ｂ）に示すように、Ｙ方向上方に屈曲している。その為、図９（ｂ）に示すように、被詰め替え容器４の口首部４２の開口端とパウチ容器１Ａのフランジ部３２とを当接させると共に、一対のシール部５３，５３間で被詰め替え容器４の口首部４２を挟むことができる。このように一対のシール部５３，５３間で被詰め替え容器４の口首部４２を挟むことができれば、被詰め替え容器４上にパウチ容器１Ａを更に安定した状態で配置できる。また、被詰め替え容器４の開口部４１の開口中心の位置とパウチ容器１Ａのノズル部３１の開口中心の位置とを一致させ易く、被詰め替え容器４上にパウチ容器１Ａを安定した状態で配置できる。
よって、詰め替え容器セット１０を用いて、パウチ容器１Ａのパウチ本体部２の内部に収容された内容物１１を被詰め替え容器４内に注出する上述した詰め替え方法によれば、被詰め替え容器４内にノズル部３１を介してパウチ本体部２の内部に収容された内容物１１を容易に注出でき、詰め替え作業を簡単に行うことができる。
【００４１】
尚、閉蓋部材３５を外したパウチ容器１Ａ内の内容物１１を被詰め替え容器４に詰め替える際、被詰め替え容器４の口首部４２の開口端とパウチ容器１Ａのスパウト３のフランジ部３２とを天面シート部２４を介して当接させて、ノズル部３１を通して収容された内容物１１を被詰め替え容器４内に注出して詰め替えることを促す説明を含む使用方法の説明は、詰め替え用パウチ容器１Ａに記載されていることが好ましい。また、このように詰め替えることを促す表示を有する使用方法の説明書が、詰め替え容器セット１０に付属していてもよい。
【００４２】
本発明の詰め替え容器セットの有する詰め替え用パウチ容器は、上述の第１実施形態のパウチ容器１Ａに何ら制限されるものではなく、適宜変更可能である。
具体的には、パウチ容器１Ａにおいては、フランジ部３２の基本形状が、非円形状に形成されているが、円形状、楕円形状、長円形状に形成されていてもよく、四角形等の多角形に形成されていてもよい。ここで基本形状が四角形とは、正方形、長方形、菱形、平行四辺形、台形等のみならず、それらの外形を形成する各辺が外方又は内方に凸の曲線となった形状も含むことを意味する。同様に、基本形状が多角形とは、多角形の外形を形成する各辺が外方又は内方に凸の曲線となった形状も含むことを意味する。具体的には、例えば図１０〜図１２に示すようなフランジ部３２の基本形状であってもよい。
【００４３】
図１０に示すスパウト３のフランジ部３２においては、フランジ部３２の最大幅が、被詰め替え容器４の開口部４１の開口内径Ｄ１よりも広く、フランジ部３２がスパウト３の固定された側の襠部２１のＺ方向の最大幅と略同等の位置まで延在して形成されており、フランジ部３２の基本形状は、４辺が外方に凸の曲線で囲まれた、Ｘ方向に長い所謂楕円形状に形成されている。
【００４４】
また、図１１に示すスパウト３のフランジ部３２においては、フランジ部３２の最大幅が、被詰め替え容器４の開口部４１の開口内径Ｄ１よりも広く形成されており、Ｘ方向に長い長方形状に形成されている。そして、図１１に示すフランジ部３２は、長方形状のフランジ部３２において、正面シート部２２側及び背面シート部２３側の両端縁部３２ｆ，３２ｒのＸ方向の中央部分が、Ｚ方向の内側に向かって括れており、両側縁３２ｓ，３２ｓのＺ方向の中央部分が、Ｘ方向の内側に向かって括れた形状となっている。また、図１１に示すスパウト３のフランジ部３２は、第１実施形態のパウチ容器１Ａの有するスパウト３のフランジ部３２に比べて、肉厚が厚く形成されており、２ｍｍ〜１０ｍｍ程度に形成されている。このように、基本形状が長方形状のフランジ部３２の対向辺が括れた形状となっており、更に肉厚に形成されているので、パウチ本体部２を前後左右に把持する時、指にフィットしやすくまた把持面積がおおきくなるため把持性が向上する。尚、肉厚のフランジ部３２の内部は、肉が抜かれた空洞の状態に形成されていてもよい。
【００４５】
更に、図１２に示すスパウト３のフランジ部３２においては、フランジ部３２の最大幅が、被詰め替え容器４の開口部４１の開口内径Ｄ１よりも広い多角形状である六角形状に形成されている。そして、六角形状のフランジ部３２において、六角形を構成する６つの辺それぞれの中央部分が内側に向かって括れており、六角形を構成する６つの頂部それぞれが外側に向かって滑らかに湾曲した凸部となっている。また、図１２に示すスパウト３のフランジ部３２は、図１１に示すスパウト３のフランジ部３２と同様に、肉厚が厚く形成されている。このように、六角形状のフランジ部３２の６つの辺が括れ、６つの頂部が湾曲した凸部となっており、更に肉厚に形成されているので、パウチ本体部２をどの方向から把持しても指にフィットしやすく、また把持面積がおおきくなるため把持性が向上する。
【００４６】
また、第１実施形態のパウチ容器１Ａにおいては、図２に示すように、パウチ本体部２の環状シール部５２が、正面シート部２２のＹ方向の上端縁部２２ｕ及び天面シート部２４のＺ方向の一端縁部２４ｆをシールすると共に、背面シート部２３の上端縁部２３ｕ及び天面シート部２４のＺ方向の他端縁部２４ｒをシールした一対のシール部５３，５３を有しており、天面シート部２４で襠部２１が形成されているが、シール部５３を有しない形態であってもよい。シール部５３を有していない形態として、具体的に、例えば、図１３に示すパウチ容器１Ｂのパウチ本体部２は、パウチ本体部２を構成する正面シート部２２、背面シート部２３及び天面シート部２４が、帯状に連続する一枚のフィルム材シートから形成されており、折り畳むことにより天面シート部２４に襠部２１が形成されている形態となっている。尚、正面シート部２２の上端縁部２２ｕ、背面シート部２３の上端縁部２３ｕ及び天面シート部２４の両端縁部２４ｆ，２４ｒを除いた各シート材２２，２３，２４の縁部は、側縁シール部５１のＹ方向の上端から二股に分かれて延在する一対の縁部シール部５４，５４にて接合されている。
【００４７】
また、図５に示すように、フランジ部３２が、Ｘ方向及びＺ方向からなる面方向に平行に均一に張り出しているが、均一でなくとも、少なくとも３点で被詰め替え容器４の口首部４２の開口端に平行に接するようになっていればよい。
【００４８】
また、第１実施形態のパウチ容器１Ａにおいては、図２に示すように、一対のシール部５３，５３が、使用状態にて、Ｙ方向の上方に向かって折り返されるようになっているが、Ｙ方向の下方に向かって折り返されていてもよい。
【００４９】
また、パウチ容器１Ａにおいて、パウチ本体部２の天面シート部２４側及び底面シート部２５側の両方の襠部２１にスパウト３を備えても良い。
更に、ノズル部３１を閉栓するにはスクリューキャップの様な閉蓋部材３５に限定されるものではなく、例えばノズル部３１先端部を粘着剤や接着剤が塗布されたシート状の閉蓋部材で閉栓しても良く、ノズル部３１の先端を加熱したのちに押圧し、ノズル部３１の内壁同士を一体化することにより閉栓しても良い。この場合には、ノズル部３１の内壁同士を一体化された部分が閉蓋部材となり、ノズル部３１の内壁同士が一体化されていない部分の一部の肉厚みをノズル部３１の周方向に沿って薄くして、開栓時に破断させる部分とするとともに、ノズル部３１先端部（閉蓋部材の先端部）にプルリング等の摘み部を設けて、開栓しやすくしても良い。
また、打栓型(コルク、プラグ等の打ち込み型栓)の閉蓋部材であっても良い。
【符号の説明】
【００５０】
１Ａ，１Ｂ  詰め替え用パウチ容器
１１  内容物
２  パウチ本体部
２１  襠部
２２  正面シート部
２３  背面シート部
２４  天面シート部
２５  底面シート部
３  スパウト
３１  ノズル部
３２  フランジ部
３５  閉蓋部材
４  被詰め替え容器
４１  開口部
４２  口首部
４３  肩部
５１  側縁シール部
５２  環状シール部
５３  シール部
１０  詰め替え容器セット
【図１】
0006305843.tif 000002
【図２】
0006305843.tif 000003
【図３】
0006305843.tif 000004
【図４】
0006305843.tif 000005
【図５】
0006305843.tif 000006
【図６】
0006305843.tif 000007
【図７】
0006305843.tif 000008
【図８】
0006305843.tif 000009
【図９】
0006305843.tif 000010
【図１０】
0006305843.tif 000011
【図１１】
0006305843.tif 000012
【図１２】
0006305843.tif 000013
【図１３】
0006305843.tif 000014